(57)【要約】【課題】間欠運転モードの開始と解除とが繰り返される。【解決手段】本発明の空気調和機は、吸込口と吹出口を有するケーシング内に配置されたファンと、空気汚れを検知する検知手段と、ファンを制御する制御手段とを備え、検知手段で検知された空気汚れ度が小さい場合にファンを間欠的に運転する間欠運転モードを有している。間欠運転モードにおいてファンが停止しているときにファン運転開始条件を満たした場合にファンの運転が開始される。そして、間欠運転モードにおいてファンが停止しているときに、ファン停止時から所定時間が経過する前にファン運転開始条件を満たしてファンの運転が開始されることが、所定回数だけ繰り返された場合は、その後、間欠運転モードへの突入を制限する。【選択図】図８
2015021629.tif 000002
【特許請求の範囲】
【請求項１】
吸込口と吹出口を有するケーシング内に配置されたファンと、
空気汚れを検知する検知手段と、
前記ファンを制御する制御手段とを備え、
前記検知手段で検知された空気汚れ度が小さい場合に前記ファンを間欠的に運転する間欠運転モードを有しており、
前記制御手段は、前記間欠運転モードにおいて前記ファンが停止しているときにファン運転開始条件を満たした場合に前記ファンの運転を開始するものであって、
前記間欠運転モードにおいて前記ファンが停止しているときに、ファン停止時から所定時間が経過する前にファン運転開始条件を満たして前記ファンの運転が開始されることが、所定回数だけ繰り返された場合は、その後、前記間欠運転モードへの突入を制限することを特徴とする空気調和機。
【請求項２】
前記間欠運転モードにおいて前記ファンが停止しているときに、ファン停止時から第１所定時間が経過する前にファン運転開始条件を満たして前記ファンの運転が開始されることが、ファン停止状態が前記所定時間継続されることなく所定回数だけ繰り返された場合は、その後、前間欠運転モードへの突入を制限することを特徴とする請求項１に記載の空気調和機。
【請求項３】
ファン停止時から前記第１所定時間が経過する前にファン運転開始条件を満たして前記ファンの運転が開始されるまでの時間の平均時間が所定平均時間より短い場合は、その後、前記間欠運転モードへの突入を制限することを特徴とする請求項１またが２に記載の空気調和機。
【発明の詳細な説明】
【技術分野】
【０００１】
本発明は、加湿運転及び除湿運転の少なくとも一方を行う空気調和機に関する。
【背景技術】
【０００２】
空気清浄運転を行う空気調和機として、吸込口と吹出口を有するケーシング内に配置されたファンと、空気汚れを検知する塵埃検出センサとを備えたものが一般的である。この空気調和機において、塵埃検出センサで検知された空気汚れ度が小さい場合に、ファンを間欠的に運転する間欠運転モードを有するものがある。そして、間欠運転モードにおいてファンが停止しているときに、塵埃検出センサで検知された空気汚れ度が増加した場合には、間欠運転モードが解除され、ファンの運転が開始される。
【先行技術文献】
【特許文献】
【０００３】
【特許文献１】特開２００６−５７９４２号公報
【発明の概要】
【発明が解決しようとする課題】
【０００４】
しかし、塵埃検出センサで検知された空気汚れ度が小さい場合に、間欠運転モードの運転が開始されるのでファンが停止されるが、ファンの運転を停止した直後に、例えば塵埃検出センサで検知された空気汚れ度が増加して、間欠運転モードが解除され、ファンの運転が開始される場合がある。そして、ファンの運転を開始した後で、再度、塵埃検出センサで検知された空気汚れ度が減少すると、間欠運転モードの運転が開始されるのでファンが停止される。このように、間欠運転モードの開始と解除とが繰り返されるという問題がある。
【０００５】
そこで、本発明の目的は、ファンの間欠運転モードの開始と解除とが繰り返されるのを防止できる空気調和機を提供することである。
【課題を解決するための手段】
【０００６】
第１の発明にかかる空気調和機は、吸込口と吹出口を有するケーシング内に配置されたファンと、空気汚れを検知する検知手段と、前記ファンを制御する制御手段とを備え、前記検知手段で検知された空気汚れ度が小さい場合に前記ファンを間欠的に運転する間欠運転モードを有しており、前記制御手段は、前記間欠運転モードにおいて前記ファンが停止しているときにファン運転開始条件を満たした場合に前記ファンの運転を開始するものであって、前記間欠運転モードにおいて前記ファンが停止しているときに、ファン停止時から所定時間が経過する前にファン運転開始条件を満たして前記ファンの運転が開始されることが、所定回数だけ繰り返された場合は、その後、前記間欠運転モードへの突入を制限することを特徴とする。
【０００７】
この空気調和機では、間欠運転モードにおいて、ファン停止時から所定時間が経過する前にファン運転開始条件を満たしてファンの運転が開始されることが、所定回数だけ繰り返された場合に、その後、間欠運転モードへの突入を制限するので、間欠運転モードの開始と解除とが所定回数を超えて繰り返されるのを防止できる。
【０００８】
第２の発明にかかる空気調和機では、第１の発明にかかる空気調和機において、前記間欠運転モードにおいて前記ファンが停止しているときに、ファン停止時から所定時間が経過する前にファン運転開始条件を満たして前記ファンの運転が開始されることが、ファン停止状態が前記所定時間継続されることなく所定回数だけ繰り返された場合は、その後、間欠運転モードへの突入を制限することを特徴とする。
【０００９】
この空気調和機では、間欠運転モードにおいて、ファン停止時から所定時間が経過する前にファン運転開始条件を満たしてファンの運転が開始されることが、ファン停止状態が前記第１所定時間継続されることなく所定回数だけ繰り返された場合に、その後、間欠運転モードへの突入を制限するので、間欠運転モードの運転開始と解除とが連続して繰り返された場合に限って、その後、間欠運転モードへの突入を制限することができる。
【００１０】
第３の発明にかかる空気調和機では、第１または第２の発明にかかる空気調和機において、ファン停止時から前記第１所定時間が経過する前にファン運転開始条件を満たして前記ファンの運転が開始されるまでの時間の平均時間が所定平均時間より短い場合は、その後、前記間欠運転モードへの突入を制限することを特徴とする。
【００１１】
この空気調和機では、間欠運転モードにおいて、ファン停止時から所定時間が経過する前にファン運転開始条件を満たしてファンの運転が開始されることが、所定回数だけ繰り返された場合に、ファン停止からファンの運転が開始されるまでの平均時間が所定平均時間より短い場合に限って、その後、間欠運転モードへの突入を制限することができる。
【発明の効果】
【００１２】
以上の説明に述べたように、本発明によれば、以下の効果が得られる。
【００１３】
第１の発明では、間欠運転モードにおいて、ファン停止時から所定時間が経過する前にファン運転開始条件を満たしてファンの運転が開始されることが、所定回数だけ繰り返された場合に、その後、間欠運転モードへの突入を制限するので、間欠運転モードの開始と解除とが所定回数を超えて繰り返されるのを防止できる。
【００１４】
第２の発明では、間欠運転モードにおいて、ファン停止時から所定時間が経過する前にファン運転開始条件を満たしてファンの運転が開始されることが、ファン停止状態が所定時間継続されることなく所定回数だけ繰り返された場合に、その後、間欠運転モードへの突入を制限するので、間欠運転モードの運転開始と解除とが連続して繰り返された場合に限って、その後、間欠運転モードへの突入を制限することができる。
【００１５】
第３の発明では、間欠運転モードにおいて、ファン停止時から所定時間が経過する前にファン運転開始条件を満たしてファンの運転が開始されることが、所定回数だけ繰り返された場合に、ファン停止からファンの運転が開始されるまでの平均時間が所定平均時間より短い場合に限って、その後、間欠運転モードへの突入を制限することができる。
【図面の簡単な説明】
【００１６】
【図１】本発明の実施形態に係る空気調和機の斜視図である。
【図２】図１に示す空気調和機の側面図である。
【図３】図１に示す空気調和機における送風の経路を示す概念図である。
【図４】図１に示す空気調和機の分解図である。
【図５】図４に示す空気調和機の正面図である。
【図６】図１に示す空気調和機の操作部の概略図である。
【図７】図１に示す空気調和機の機能ブロック図である。
【図８】本実施形態の空気調和機の動作を示すフローチャートである。
【図９】本実施形態の変形例の空気調和機の動作を示すフローチャートである。
【発明を実施するための形態】
【００１７】
以下、図面を参照しつつ本発明の実施形態について説明する。
【００１８】
［空気調和機の構成］
本発明の実施形態に係る空気調和機１は、図１〜図４、及び図７に示すように、本体ケース２ａと前パネル２ｂとからなるケーシング２と、電気集塵装置３と、ストリーマ放電ユニット４と、ファン５と、塵埃検出センサ６と、臭い検出センサ７と、温度検出センサ８と、湿度検出センサ９と、フィルタ部２０と、加湿ユニット３０と、操作部７０と、表示部８０と、制御部（制御手段）９０とを備えている。
【００１９】
図１に示すように、空気調和機１の正面は、前パネル２ｂで覆われている。正面の下方には、前パネル２ｂに覆われていない部分があり、当該部分に下吸込口１１が設けられている。図２に示すように、空気調和機１の側面の一部は、本体ケース２ａの一部分である合成樹脂製の側方吸込口形成部材２ｃにより覆われている。側方吸込口形成部材２ｃには、空気を取り込む第１側方吸込口１２が縦方向に延びるように形成されている。つまり、第１側方吸込口１２は、縦の寸法の方が、横の寸法よりも大きい。また、図示されていないが、空気調和機１の反対側の側面の一部も同様に側方吸込口形成部材２ｃにより覆われている。側方吸込口形成部材２ｃには、第１側方吸込口１２に対向する位置に第２側方吸込口１３が縦方向に延びるように形成されている。第２側方吸込口１３の縦横の寸法は、第１側方吸込口１２の寸法と同じである。以下、第１側方吸込口１２、第２側方吸込口１３、及び下吸込口１１の全てを指す場合は、吸込口１０と記載する。
【００２０】
空気調和機１内に吸い込まれた空気が吹き出される吹出口１４は、図１及び図４に示すように空気調和機１の上面に設けられている。図３に示すように、ファン５によって吸込口１０から吹出口１４に至る空気の流れ１５が発生する。吸込口１０から吸込まれた室内空気は、フィルタ部２０で塵埃や臭い成分などが取り除かれ、ファン５から清浄な空気が吹き出される。
【００２１】
＜電気集塵装置３＞
図４に示すように、電気集塵装置３は、縦に長い筒状の形状をしており、第１側方吸込口１２及び第２側方吸込口１３の近傍に１つずつ、それぞれの吸込口１０に沿って縦に、着脱可能に設置されている。第１側方吸込口１２の近傍に配置されている電気集塵装置３は、電気集塵装置３Ｌである。第２側方吸込口１３の近傍に配置されている電気集塵装置３は、電気集塵装置３Ｒである。電気集塵装置３の縦横それぞれの寸法は、吸込口１０の縦横それぞれの寸法よりも大きく、電気集塵装置３は側方吸込口形成部材２ｃと、その間になるべく隙間ができないように接しているので、吸込口１０から吸い込まれる空気は、全て電気集塵装置３を通るように構成されている。
【００２２】
電気集塵装置３は、吸い込まれた空気の中に浮遊している比較的小さな塵埃を帯電させる。具体的には、電気集塵装置３内には、正負２つの電極があり、正負２つの電極のうちの正極であるタングステン製のイオン化線に高電圧を印加すると、当該２つの電極間に電位差が生じ、コロナ放電が生じる。そして、この放電により電気集塵装置３を通る空気中の塵埃は帯電する。
【００２３】
＜フィルタ部２０＞
図３に示すように、フィルタ部２０は、プレフィルタ２１と、ＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）フィルタ２２（以下、集塵フィルタ２２と記載する）と、脱臭フィルタ２３とで構成されている。まず、最も上流側に配置されたプレフィルタ２１によって大きな塵埃が取り除かれる。次に、集塵フィルタ２２によってさらに微細な塵埃が取り除かれる。さらに、集塵フィルタ２２を通過した空気は、活性炭などを含み最も下流側に配置された脱臭フィルタ２３によってホルムアルデヒドや臭い成分などが分解され、或いは吸着される。
【００２４】
＜ストリーマ放電ユニット４＞
ファン５から吹き出される空気のうちの一部が、図３に示す支流１６としてストリーマ放電ユニット４に送られる。この支流１６がストリーマ放電ユニット４を通過するときに、ストリーマ放電によって活性種が供給される。活性種の供給された支流１６は、複数の分流となって放出口１７からプレフィルタ２１の前に吹き出される。複数の分流は、プレフィルタ２１から吸い込まれる室内空気に合流して集塵フィルタ２２及び脱臭フィルタ２３にまで到達する。脱臭フィルタ２３にまで達する活性種によって消臭効果が高められる。
【００２５】
ストリーマ放電ユニット４は、正極であるタングステン製の針状の電極と、当該針状電極の近傍に位置し、当該電極に対向する板状の電極（対向電極）を有する。針状電極に高電圧を印加することによりプラズマ放電の一種であるストリーマ放電が発生する。当該放電発生の際に酸化分解力の高い活性種が生成される。これらの活性種には、高速電子、イオン、水酸化ラジカル及び励起酸素分子などが含まれ、これらの活性種は、アンモニア類や、アルデヒド類、窒素酸化物等の小さな有機分子からなる空気中の有害成分や臭気成分を分解する。
【００２６】
生成された活性種を含む空気は、図３に示すような２つの鉛直風通路部材１８へ流入する。加湿装置１の第１側方吸込口１２及び第２側方吸込口１３は、上述のとおり鉛直方向に長い開口であるが、２つの鉛直風通路部材１８は第１側方吸込口１２及び第２側方吸込口１３に沿って配置されている。各鉛直風通路部材１８には、複数の放出口１７が第１側方吸込口１２及び第２側方吸込口１３の鉛直方向に沿うように形成されている。鉛直風通路部材１８へ流入した活性種を含む空気は、当該放出口１７からフィルタ部２０のプレフィルタ２１の前に吹き出される。
【００２７】
＜ファン５＞
ファン５は、ケーシング２内に配置されており、より詳しくは、加湿ユニット３０と吹出口１４との間に配置されている。ファン５には、ファンモータ５ａが接続されており、制御部９０によりファンモータ５ａが駆動されることでファン５が回転する。
【００２８】
＜塵埃検出センサ６＞
塵埃検出センサ６は、加湿装置１内の上部に設けられており、加湿装置１の周辺の空気に含まれる塵埃量を検出する。
【００２９】
＜臭い検出センサ７＞
臭い検出センサ７は、加湿装置１内の上部に設けられており、加湿装置１の周辺の空気の臭い強度を検出する。
【００３０】
＜温度検出センサ８＞
温度検出センサ８は、加湿装置１内の上部に設けられており、加湿装置１の周辺の空気の温度を検出する。
【００３１】
＜湿度検出センサ９＞
湿度検出センサ９は、加湿装置１内の上部に設けられており、加湿装置１の周辺の空気の湿度を検出する。
【００３２】
＜加湿ユニット３０＞
加湿ユニット３０は、フィルタ部２０とファン５との間に配置されており、図５に示すように、加湿ロータ３１と、貯水タンク３２と、水トレー３３とを備えている。
【００３３】
加湿ロータ３１は、空気に水を供給して空気を加湿する加湿フィルタ３４と、加湿フィルタ３４に水を掛けて加湿フィルタ３４を浸水状態とする水掛装置３５とを有する。加湿フィルタ３４は、例えば不織布で円板状に成形され、水掛装置３５の旋回枠４１に取り付けられている。この旋回枠４１と共に加湿フィルタ３４が回転しながら、水トレー３３から供給された水が蒸発する。加湿フィルタ３４は、水トレー３３の満水時の水位よりも上方に配置されているので、水トレー３３内の水とは直接接触していないようになっている。
【００３４】
水掛装置３５は、上述した旋回枠４１と、複数の水掛部４２と、駆動モータ４３（図７参照）とを有する。旋回枠４１は、その中心部に位置する回転軸４４が、水トレー３３の軸受部３３ａに着脱可能かつ回転可能に支持されており、その結果、加湿ロータ３１が水トレー３３に着脱可能かつ回転可能に支持される。
【００３５】
水掛部４２は、旋回枠４１の外枠部４５に等間隔に複数設置される。この水掛部４２は、内部に水を溜めることが可能なように凹状に形成されており、加湿ロータ３１の回転により、各水掛部４２が順次水トレー３３内に浸水した後上昇し、また、浸水するといった動作を繰り返す。水掛部４２が浸水することで水掛部４２内に水が流入し、水掛部４２が上昇することで水掛部４２内に溜まった水が、旋回枠４１に形成されている開口（図示省略）を介して加湿フィルタ３４に向かって流れる。これにより、加湿フィルタ３４に水が供給され、加湿フィルタ３４が浸水する。
【００３６】
駆動モータ４３は、水掛装置３５を回転駆動させるためのモータである。この駆動モータ４３は、制御部９０によって駆動制御される。なお、詳細は後述するが、加湿ロータ３１は、加湿運転が行われている場合にのみ回転する。したがって、空気清浄運転（以下、空清運転と記載する）のみが行われている場合には、加湿ロータ３１は停止しており、加湿ロータ３１に水トレー３３から水が供給されなくなる。このため、加湿ロータ３１の回転停止後には、加湿ロータ３１が吸着していた水が空気に供給されて加湿ロータ３１が乾燥する。その結果、加湿ロータ３１から空気に水が供給されなくなる。
【００３７】
貯水タンク３２は、加湿装置１から着脱可能であり（図１参照）、空気調和機１に装着される場合には加湿装置１に収納される。また、貯水タンク３２の下部には注水口（図示省略）が設けられており、水トレー３３内の水位の減少により、貯水タンク３２内の水が注水口を介して水トレー３３内に流出する。
【００３８】
水トレー３３は、加湿ロータ３１に水を供給するためのトレーであり、水が貯水されている。この水トレー３３には、水トレー３３内の水量が所定量以上であるか否かを判断するフロート５０が設置されている。
【００３９】
このフロート５０は、水トレー３３内に貯水された水に浮くフロート本体５１と、フロート検知部５２とを有する。フロート検知部５２は、フロート本体５１に固定されフロート本体５１の移動に伴って移動する被検知体５３と、水トレー３３外部の所定位置に固定されている検知素子５４とを有する。被検知体５３は、磁石である。これにより、水トレー３３外部に対する水トレー３３内のフロート本体５１の位置が変化することで、検知素子５４に対する被検知体５３の位置が変化するとともに、水トレー３３内の水位が下がることによって検知素子５４に対する被検知体５３の位置が変化する。検知素子５４は、被検知体５３からの距離に依拠して被検知体５４の検知を行うリードスイッチであって、被検知体５３からの磁界の影響を受けてオン・オフする接点部（図示せず）を含む。また、検知素子５４は、フロート本体５１が水に浮いた状態にある場合には被検知体５３を検知可能であり、フロート４５本体５１が下がった状態にある場合には被検知体５３を検知できない位置に配置されている。さらに、検知素子５４は、水トレー３３が空気調和機１に収納されていない状態である場合には、被検知体５３を検知できない位置に配置されるように設計されている。
【００４０】
＜空気清浄動作（加湿動作）＞
図３を参照しながら、空気調和機１による空気清浄動作（加湿動作）について説明する。第１側方吸込口１２及び第２側方吸込口１３から吸い込まれた空気は、電気集塵装置３に到達し、空気は電気集塵装置３の放電部を通過する。その際、空気に含まれる塵埃等がプラス電荷に帯電する。そして、空気は、フィルタ部２０に到達する。他方、下吸込口１１から吸い込まれた空気は、フィルタ部２０に到達する。
【００４１】
フィルタ部２０では、空気は、先ずプレフィルタ２１を通過する。その際、比較的大きなホコリや塵が、プレフィルタ２１により空気中から除去される。
【００４２】
プレフィルタ２１を通った空気は、集塵フィルタ２２を通過する。当該空気中の帯電した塵埃等は、集塵フィルタ２２に吸着される。
【００４３】
集塵フィルタ２２を通過した空気は、脱臭フィルタ２３を通過し、この際脱臭される。
【００４４】
その後、当該空気は、加湿ユニット３０の加湿ロータ３１に到達する。空気は、加湿ロータ３１を通過し、加湿される。
【００４５】
フィルタ部２０及び加湿ロータ３１を通過して清浄された空気は、吹出口１４から室内へと吹き出される。また、清浄された空気の一部は、室内へと吹き出されることなく支流１６となって、ストリーマ放電ユニット４へ導入される。
【００４６】
ストリーマ放電ユニット４におけるストリーマ放電により活性種が生成される。活性種を含む空気は、２つの鉛直通風路部材１８内を通り、各鉛直通風路部材１８に形成された複数の放出口１７からプレフィルタ２１の前に放出される。活性種を含む空気は、吸込空気と混ざり合ってプレフィルタ２１及び集塵フィルタ２２に吸い込まれる。これらの活性種を含んだ空気は、ウィルスやカビ菌、細菌などを不活化または消滅させる。
【００４７】
＜操作部７０＞
操作部７０は、加湿装置１の上面に設けられている。この操作部７０は、図６に示すように、運転入／切スイッチ７１と、加湿入／切スイッチ７２と、加湿切換スイッチ７３と、ＥＣＯ節電スイッチ７４と、風量変更スイッチ７５とを備えている。
【００４８】
運転入／切スイッチ７１は、空気調和機１の運転又は停止を選択するスイッチである。空気調和機１が停止した状態で、運転入／切スイッチ７１が押されるとファン５を駆動させる空清運転が開始される。一方、空清運転が行われている状態で運転入／切スイッチ７１が押されると運転が停止する。
【００４９】
加湿入／切スイッチ７２は、加湿切モードと、加湿入モードを切り換えるスイッチである。加湿切の状態で、加湿入／切スイッチ７２が押されると、加湿入モードに変化する。その際、加湿入モードであることを表示するランプが点灯する。一方、加湿入モードで、加湿入／切スイッチ７２が押されると、加湿切の状態に変化する。その際、当該ランプは消灯する。本実施形態において、加湿切モードでは、湿度の大きさにかかわらず加湿運転が行われないで空清運転だけが行われる。一方、加湿入モードでは、連続運転モードが設定されたとき、湿度の大きさにかかわらず空清運転と加湿運転が行われ、自動運転モードが設定されたとき、湿度の大きさによって、空清運転だけが行われる場合と、空清運転と加湿運転が行われる場合がある。加湿入モードにおいて、加湿入／切スイッチ７２が押されて、加湿入モードから加湿切モードに切り換えられても、空清運転は継続する。
【００５０】
加湿切換スイッチ７３は、加湿運転のモードを切り換えるスイッチである。加湿運転のモードとしては、自動運転モードと連続運転モードとが含まれる。加湿入の状態で、加湿切換スイッチ７３が押されると、制御部９０の制御により、これらモードが切り換わるようになっている。
【００５１】
自動運転モードとは、目標湿度（例えば、湿度５０％）を目安に、空気調和機１が加湿運転と空清運転を自動で切り換えるモードである。本実施形態では、加湿入モードで自動運転モードに切り換えられると、ファン５が駆動され、かつ加湿ロータ３１の回転駆動が停止された加湿ロータ停止状態と、ファン５が駆動され、かつ加湿ロータ３１が回転駆動された加湿ロータ駆動状態とが自動的に切り換わる。したがって、加湿ロータ停止状態では、加湿運転は行われないで空清運転が行われ、加湿ロータ駆動状態では、空清運転と共に加湿運転が行われる。具体的には、湿度検出センサ９で検出される空気中の湿度と目標湿度とを比較して、加湿運転の運転又は停止を判断し、判断結果に基づいて加湿運転の運転又は停止を実行する。したがって、湿度検出センサ９で検出される空気中の湿度が目標湿度より小さい場合、加湿運転が行われ、湿度検出センサ９で検出される空気中の湿度が目標湿度以上である場合、加湿運転が停止される。一方、連続運転モードとは、連続運転モード中、ファン５が駆動され、かつ加湿ロータ３１が回転駆動された加湿ロータ駆動状態を継続するモードである。
【００５２】
ＥＣＯ節電スイッチ７４とは、省エネ運転を実行するか否かを選択するスイッチである。加湿運転が行われている場合において、ＥＣＯ節電スイッチ７４が押されると、省エネ運転モードに変化し、省エネ運転モードであることを示すランプが点灯する。一方、省エネ運転モードで、ＥＣＯ節電スイッチ７４が押されると、省エネ運転モードが停止され、省エネ運転モードに切り換わる前の状態に戻り、当該ランプが消灯する。省エネ運転モードでは、ファン５の回転数が弱に対応した回転数以下に制限される。
【００５３】
省エネ運転モードとしては、みはり運転モード（間欠運転モード）と、通常運転モードとの２つの運転モードがある。みはり運転モードとは、ファン５の運転及び停止が交互に繰り返されるファン間欠運転が行われ、かつ加湿ロータ３１の回転駆動が停止される運転である。通常運転モードとは、ファン５が駆動され、かつ加湿ロータ３１が駆動される運転である。即ち、通常運転モードでは、空清運転と共に加湿運転が行われる。
【００５４】
なお、本実施形態において、みはり運転モードでのファン間欠運転とは、みはり運転モードが解除されるまで、ファン５が、所定時間Ｔ１（例えば、５分）の停止と、所定時間Ｔ２（例えば、２分）の駆動を繰り返す運転を言う。なお、以下においては、ファン間欠運転中において、ファン５が駆動された状態をファンＯＮ状態と称し、ファン５が停止された状態をファンＯＦＦ状態と称する。
【００５５】
省エネ運転モードでは、みはり運転モードと通常運転モードが自動的に切り換わる。具体的には、通常運転モード時において、下記（i）〜（iii）の全ての条件を満たした場合に、通常運転モードからみはり運転モードに切り換わる。
（i）「空気汚れ度」が「きれい」の状態であること
なお、「空気汚れ度」が「きれい」の状態とは、塵埃検出センサ６で検出される空気中の塵埃量が所定量未満であることを言う。
（ii）湿度検出センサ９で検出される空気中の湿度が、所定範囲内（例えば、５０％以上）の湿度であること
（iii）（i）、（ii）を満たした後、その状態が所定時間Ｔ３（例えば、１０分）継続したこと
【００５６】
一方、みはり運転モード時においては、下記（iv）および（v）のいずれかの条件を満たした場合に、みはり運転モードから通常運転モードに切り換わる（みはり運転モードが解除される）。
（iv）「空気汚れ度」が「きれい」の状態でなくなったこと
（v）湿度検出センサ９で検出される空気中の湿度が、所定範囲外の湿度であること
したがって、みはり運転モードでのファン間欠運転時においてファン５が停止しているときに、（iv）および（v）のいずれかの条件を満たした場合は、ファンＯＦＦ状態が所定時間Ｔ１だけ継続される前においてファン開始条件を満たしたと考えて、ファンの運転を開始して、みはり運転モードから通常運転モードに切り換わる（みはり運転モードを解除する）。
【００５７】
なお、通常運転モードからみはり運転モードに切り換わると、ファン間欠運転が開始されると共に、加湿ロータ３１の回転駆動が停止され、加湿運転が停止される。即ち、制御部９０が、ファン５の駆動及び停止が交互に繰り返されるように、ファン５のファンモータ５ａを制御すると共に、加湿ロータ３１の駆動モータ４３を停止する。ファン間欠運転が開始されると、まず、ファンＯＦＦ状態となり、その後、ファンＯＮ状態とファンＯＦＦ状態が交互に繰り返される。
【００５８】
また、本実施形態では、ＥＣＯ節電スイッチ７４が押されると、最初に、通常運転モードに入る。
【００５９】
風量変更スイッチ７５は、風量を設定するスイッチである。風量設定には、風量変更スイッチ７５の操作によりユーザが風量を選択できる手動設定と、風量が自動で設定される自動設定とがある。手動設定においては、ユーザは、ターボ、強、標準、弱、しずかの５段階を選択できる。なお、風量として自動が設定された場合、塵埃検出センサ６で検出された塵埃量及び臭い検出センサ７で検出された臭い強度に基づいて、風量が自動的に変更される。したがって、塵埃検出センサ６で検出された塵埃量や臭い検出センサ７で検出された臭い強度が大きい場合に、風量が大きく変更されるとともに、塵埃検出センサ６で検出された塵埃量及び臭い検出センサ７で検出された臭い強度が小さい場合に、風量が小さく変更される。本実施形態では、ＥＣＯ節電スイッチ７４が押されて省エネ運転モードに切り換わると、風量が弱以下の風量に制限される。
【００６０】
＜表示部８０＞
表示部８０は、塵埃検出センサ６で検出された塵埃量、臭い検出センサ７で検出された臭い強度、温度検出センサ８で検出された温度、湿度検出センサ９で検出された湿度を表示する。この表示部８０は、図１に示すように、前パネル１ｂに設けられている。塵埃量は、その大小に応じて、例えば３色の点灯で表示する。臭い強度は、その強弱に応じて例えば３色の点灯で表示する。
温度は、例えば、１℃刻みで表示し、湿度は、例えば、１％刻みで表示する。なお、みはり運転モード中においては、誤検出した湿度が表示されることを防止するため、湿度の表示は行われない。
【００６１】
＜制御部９０＞
制御部９０（制御手段）は、ＣＰＵ（Central Processing Unit）、ＲＯＭ（Read Only Memory）、ＲＡＭ（Random Access Memory）などの複数のハードウェアから構成されている。ＲＯＭには、制御部９０の動作を制御する制御プログラムなどが格納されている。そして、この制御部９０は、タイマ部９１を有し、電気集塵装置３、ストリーマ放電ユニット４、ファン５のファンモータ５ａ、塵埃検出センサ６、臭い検出センサ７、温度検出センサ８、湿度検出センサ９、加湿ロータ３１の駆動モータ４３、操作部７０、及び表示部８０等と電気的に接続されている。
【００６２】
タイマ部９１は、「空気汚れ度」が「きれい」の状態、かつ、空気中の湿度が所定範囲内（例えば、５０％以上）の湿度である状態が、所定時間Ｔ３継続したか否かを判断する際の時間を計測するためのタイマを駆動制御する。
【００６３】
＜フロー＞
次に、図８を参照して本実施形態に係る空気調和機１の動作（フロー）について説明する。
【００６４】
まず、ＥＣＯ節電スイッチ７４が押されたか否かを判断する（Ｓ１）。なお、スタート時においては、省エネ運転モードに入って、通常運転モードであるものとする。そして、ＥＣＯ節電スイッチ７４が押されて省エネ運転モード中である場合（Ｓ１：Ｙｅｓ）、ファン回転数を弱以下に制限する（Ｓ２）。一方、ＥＣＯ節電スイッチ７４が押されない場合（Ｓ１：Ｎｏ）、ステップＳ１を繰り返す。
【００６５】
その後、「空気汚れ度」が「きれい」の状態で、かつ、空気中の湿度が所定範囲内であるか否か（上記（i）および（ii）の条件を満たしたか否か）を判断する（Ｓ３）。「空気汚れ度」が「きれい」の状態で、かつ、空気中の湿度が所定範囲内である場合（Ｓ３：Ｙｅｓ）、その後、その状態が所定時間Ｔ３（例えば、１０分）継続したか否か（上記（iii）の条件を満たしたか否か）を判断する（Ｓ４）。「空気汚れ度」が「きれい」の状態、かつ、空気中の湿度が所定範囲内である状態が所定時間Ｔ３継続した場合（Ｓ４：Ｙｅｓ）、通常運転モードからみはり運転モードに切り換わって、ファンが停止する（Ｓ５）。一方、ステップＳ３において、「空気汚れ度」が「きれい」の状態で、かつ、空気中の湿度が所定範囲内でない場合（Ｓ３：Ｎｏ）や、ステップＳ４において、所定時間Ｔ３（例えば、１０分）継続してない場合（Ｓ４：Ｎｏ）、ステップＳ３を繰り返す。
【００６６】
ステップＳ５において、みはり運転モードに切り換わった後、所定時間Ｔ４（例えば、３０秒）以内にファン開始条件を満たしたか否か（上記（iv）および（v）のいずれかの条件を満たしたか否か）を判断する（Ｓ６）。所定時間Ｔ４以内にファン開始条件を満たした場合（Ｓ６：Ｙｅｓ）、みはり運転モードを解除して（通常運転モードに切り換わって）、ファンの運転を開始して、みはり運転モードの解除回数をカウントする（Ｓ７）。そして、みはり運転モードの解除回数が所定回数（例えば、３回）以上か否かを判断する（Ｓ８）。みはり運転モードの解除回数が所定回数以上である場合（Ｓ８：Ｙｅｓ）、その後、みはり運転モードへの突入が制限される（Ｓ９）。本実施形態では、みはり運転モードの解除回数が所定回数以上である場合、その後、みはり運転モードへ突入しないように制御される。一方、みはり運転モードの解除回数が所定回数以上でない場合（Ｓ８：Ｎｏ）、通常運転モードにおいて、ステップＳ３に進む。
【００６７】
一方、ステップＳ６において、所定時間Ｔ４以内にファン開始条件を満さない場合（Ｓ６：Ｎｏ）、みはり運転モードの解除回数をリセットする（Ｓ１０）。その後、所定時間Ｔ１（例えば、５分）以内にファン開始条件を満たしたか否かを判断する（Ｓ１１）。所定時間Ｔ１以内にファン開始条件を満たした場合（Ｓ１１：Ｙｅｓ）、みはり運転モードを解除して（通常運転モードに切り換わって）、ステップＳ３に進む。所定時間Ｔ１以内にファン開始条件を満たさない場合（Ｓ１１：Ｎｏ）、所定時間Ｔ１が経過すると（Ｓ１２）、みはり運転モードにおいてファン５の運転を開始する（Ｓ１３）。ファン５の風量は、しずかに対応した風量である。そして、ファン５の運転を開始した後、所定時間Ｔ２が経過すると（Ｓ１４）、ステップＳ５に進む（ファンＯＮ状態が所定時間Ｔ２だけ継続されると、ファン５が停止されて、ファンＯＦＦ状態に切り換わる）。
【００６８】
＜本実施形態の空気調和機１の特徴＞
本実施形態の空気調和機１では、みはり運転モードにおいて、ファン停止時から第４所定時間が経過する前にファン運転開始条件を満たしてファンの運転が開始されることが、所定回数だけ繰り返された場合に、その後、みはり運転モードへの突入を制限するので、みはり運転モードの開始と解除とが所定回数を超えて繰り返されるのを防止できる。
【００６９】
また、本実施形態の空気調和機１では、みはり運転モードにおいて、ファン停止時から第４所定時間が経過する前にファン運転開始条件を満たしてファンの運転が開始されることが、ファン停止状態が第４所定時間継続されることなく所定回数だけ繰り返された場合に、その後、みはり運転モードへの突入を制限するので、みはり運転モードの運転開始と解除とが連続して繰り返された場合に限って、その後、みはり運転モードへの突入を制限することができる。
【００７０】
＜変形例のフロー＞
次に、図９を参照して本実施形態の変形例に係る空気調和機の動作（フロー）について説明する。
【００７１】
本変形例に係る空気調和機の動作が、本実施形態に係る空気調和機の動作と異なる点は、本実施形態において、みはり運転モードの解除回数が所定回数以上である場合に、その後、みはり運転モードへの突入が制限されるのに対して、本変形例では、みはり運転モードの解除回数が所定回数以上である場合に、経過時間の平均時間が所定平均時間以内である場合に限って、その後、みはり運転モードへの突入が制限される点である。その他の動作は、本実施形態に係る空気調和機と同一であるので説明は省略する。
【００７２】
ステップＳ６において、所定時間Ｔ４（例えば、３０秒）以内にファン開始条件を満たした場合（Ｓ６：Ｙｅｓ）、みはり運転モードを解除して（通常運転モードに切り換わって）、ファンの運転を開始して、みはり運転モードの解除回数をカウントする（Ｓ７）。そして、みはり運転モードの解除回数が所定回数（例えば、３回）以上か否かを判断する（Ｓ８）。みはり運転モードの解除回数が所定回数以上である場合（Ｓ８：Ｙｅｓ）、みはり運転モードでの運転が開始された後で、みはり運転モードが解除されるまでの経過時間の平均時間が、所定平均時間（例えば、２０秒）以内か否かを判断する（Ｓ２０）。経過時間の平均時間が所定平均時間以内である場合（Ｓ２０：Ｙｅｓ）、その後、みはり運転モードへの突入が制限される（Ｓ９）。例えば、ステップＳ８において、みはり運転モードの解除回数が３回以上か否かが判断されて、みはり運転モードの解除回数が３回である場合には、ステップＳ２０において、その３回の解除がされるまでの経過時間の平均時間が、２０秒以内か否かが判断される。したがって、所定平均時間（例えば、２０秒）は、所定時間Ｔ４（例えば、３０秒）より短い時間に設定される。
【００７３】
＜本変形例の空気調和機の特徴＞
本変形例の空気調和機では、本実施形態の空気調和機１と同様の効果が得られる。
【００７４】
また、本変形例の空気調和機では、みはり運転モードにおいて、ファン停止時から第４所定時間が経過する前にファン運転開始条件を満たしてファンの運転が開始されることが、所定回数だけ繰り返された場合に、みはり運転モードが解除されるまでの経過時間の平均時間（ファン停止からファンの運転が開始されるまでの時間の平均）が所定平均時間より短い場合に限って、その後、みはり運転モードへの突入を制限することができる。
【００７５】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００７６】
本実施形態および本変形例では、みはり運転モードへの突入が制限される場合に、その後、みはり運転モードへ突入しないように制御される場合を説明したが、みはり運転モードへの突入が制限される場合に、みはり運転モードへ突入しにくくなるように突入条件が変更されてもよい。
【００７７】
本実施形態および本変形例では、みはり運転モードにおいて、ファン停止時から第４所定時間が経過する前にファン運転開始条件を満たしてファンの運転が開始されることが、ファン停止状態が第４所定時間継続されることなく所定回数だけ繰り返された場合に、その後、みはり運転モードへの突入を制限するが、みはり運転モードにおいて、ファン停止時から第４所定時間が経過する前にファン運転開始条件を満たしてファンの運転が開始されることが、ファン停止状態が第４所定時間継続されるか否かにかかわらず、所定回数だけ繰り返された場合に、その後、みはり運転モードへの突入を制限してもよい。したがって、この場合は、ファン停止状態が第４所定時間継続された場合でも、みはり運転モードの解除回数がリセットされない。
【００７８】
本実施形態では、みはり運転モードを、ファン５の運転及び停止が交互に繰り返されるファン間欠運転が行われ、かつ加湿ロータ３１の回転駆動が停止される運転モードとしたが、みはり運転モードは、ファン５の運転及び停止が交互に繰り返されるファン間欠運転が行われる運転モードであればよい。
【００７９】
また、本実施形態では、（i）「空気汚れ度」が「きれい」の状態であること、（ii）空気中の湿度が所定範囲内の湿度であること、および、（iii）（i）、（ii）を満たした後、その状態が所定時間Ｔ３継続したこと、の全ての条件を満たした場合に、みはり運転モードが開始される場合を説明したが、（i）「空気汚れ度」が「きれい」の状態であることを含む条件を満たした場合に、みはり運転モードが開始されるものであってよい。
【００８０】
また、本実施形態では、みはり運転モードにおいて、ファン５が停止しているときに、（iv）「空気汚れ度」が「きれい」の状態でなくなったこと、および、（v）空気中の湿度が所定範囲外の湿度であること、のいずれかの条件を満たした場合に、ファン開始条件を満たしたとして、みはり運転モードを解除する場合を説明したが、ファン開始条件は他の条件に変更してもよい。
【００８１】
また、本実施形態では、空清運転と加湿運転とを行う空気調和機について説明したが、空清運転だけを行う空気調和機であってもよいし、加湿運転だけを行う空気調和機であってもよい。
【００８２】
また、本実施形態では、塵埃検出センサ６で検出される空気中の塵埃量が所定量未満である場合を、「空気汚れ度」が「きれい」の状態としたが、塵埃検出センサ６で検出される空気中の塵埃量が所定量未満であって、かつ臭い検出センサ７で検出される空気中の臭い汚れが所定値未満の場合を、「空気汚れ度」が「きれい」の状態としてもよい。
【産業上の利用可能性】
【００８３】
本発明を利用すれば、間欠運転モードの運転開始と解除とが所定回数を超えて繰り返されるのを防止できる。
【符号の説明】
【００８４】
１  空気調和機
２  ケーシング
５  ファン
６  塵埃検出センサ（検知手段）
１０  吸込口
１４  吹出口
９０  制御部（制御手段）
【図１】
2015021629.tif 000003
【図２】
2015021629.tif 000004
【図３】
2015021629.tif 000005
【図４】
2015021629.tif 000006
【図５】
2015021629.tif 000007
【図６】
2015021629.tif 000008
【図７】
2015021629.tif 000009
【図８】
2015021629.tif 000010
【図９】
2015021629.tif 000011